(57)【特許請求の範囲】
【請求項１】
ネットワーク中継器から受信したＩＰパケットを復号して出力する処理を行う第１の受信機と、
前記第１の受信機が故障した場合に前記第１の受信機と同一の処理を行う第２の受信機と、
前記第１の受信機と前記第２の受信機の稼動状態を監視するアクセスを行う監視制御端末とを有し、
前記第１の受信機は、前記監視制御端末からのアクセスがあった場合又は前記ＩＰパケットを復号する都度、前記第１の受信機の稼働状況を前記監視制御端末に送信し、
前記監視制御端末は、受信した前記第１の受信機の稼働状況から前記第１の受信機の故障を検知した場合、前記第２の受信機に前記第１の受信機と同一のＩＰアドレスを含むパラメータを設定し、
前記第２の受信機は、前記ネットワーク中継器にＡＲＰ（Ａｄｄｒｅｓｓ  Ｒｅｓｏｌｕｔｉｏｎ  Ｐｒｏｔｏｃｏｌ）通知情報を送信する
ことを特徴とするＩＰパケット配信システム。
【請求項２】
前記監視制御端末は、前記第１の受信機の故障を検知した場合、前記ＩＰパケットを前記第２の受信機へ送信するための制御情報を、前記ネットワーク中継器に対して、送信する
ことを特徴とする請求項１に記載のＩＰパケット配信システム。
【請求項３】
前記監視制御端末は、複数台の前記第１の受信機の内の１つの故障を検知した場合、前記第２の受信機に当該故障した前記第１の受信機と同一のＩＰアドレスを含むパラメータを設定する
ことを特徴とする請求項１または２に記載のＩＰパケット配信システム。
【請求項４】
前記監視制御端末は、前記第１の受信機の故障を検知した場合、前記第１の受信機の出力を前記第２の受信機の出力に切り替える
ことを特徴とする請求項１ないし３のいずれか１項に記載のＩＰパケット配信システム。
【請求項５】
監視制御端末から、ネットワーク中継器から受信したＩＰパケットを復号して出力する処理を行う第１の受信機に、稼働状況を監視するアクセスを行うステップと、
前記監視制御端末からのアクセスを受信した場合又は前記ＩＰパケットを復号する都度、前記第１の受信機の稼働状況を前記監視制御端末に送信するステップと、
受信した前記第１の受信機の稼働状況から前記第１の受信機の故障を検知した場合、前記第１の受信機と同一の処理を行う第２の受信機に前記第１の受信機と同一のＩＰアドレスを含むパラメータを設定するステップと、
前記第２の受信機が前記ネットワーク中継器にＡＲＰ（Ａｄｄｒｅｓｓ  Ｒｅｓｏｌｕｔｉｏｎ  Ｐｒｏｔｏｃｏｌ）通知情報を送信するステップと、
を有することを特徴とする受信機切り替え方法。
【請求項６】
前記監視制御端末が、前記第１の受信機の故障を検知した場合、前記ＩＰパケットを前記第２の受信機へ送信するための制御情報を、前記ネットワーク中継器に対して、送信するステップ
をさらに有することを特徴とする請求項５に記載の受信機切り替え方法。
【請求項７】
前記監視制御端末が、複数台の前記第１の受信機の内の１つの故障を検知した場合、前記第２の受信機に当該故障した前記第１の受信機と同一のＩＰアドレスを含むパラメータを設定するステップ
をさらに有することを特徴とする請求項５または６に記載の受信機切り替え方法。
【請求項８】
前記監視制御端末が、前記第１の受信機の故障を検知した場合、前記第１の受信機の出力を前記第２の受信機の出力に切り替えるステップ
をさらに有することを特徴とする請求項５ないし７のいずれか１項に記載の受信機切り替え方法。
【請求項９】
請求項５ないし８のいずれか１項に記載の受信機切り替え方法を、コンピュータが実行可能なプログラムとして実施する
ことを特徴とする受信機切り替えプログラム。
【請求項１０】
請求項９に記載の受信機切り替えプログラムを、コンピュータが読み取り可能な記録媒体に記録している
ことを特徴とするプログラム記録媒体。
【発明の詳細な説明】
【技術分野】
【０００１】
本発明は、ＩＰパケット配信システム、受信機切り替え方法、受信機切り替えプログラムおよびプログラム記録媒体に関し、特に、ＩＰ（Internet  Protocol）パケットとしてコンテンツ情報の映像信号を配信する映像ＩＰパケット配信システムにおいて、指定された単一の送信先のみにＩＰパケットを配信するというユニキャスト配信方式であっても、該ＩＰパケットを受信して復号する受信機（デコーダ）の切り替えを迅速に行うことが可能なＩＰパケット配信システム、受信機切り替え方法、受信機切り替えプログラムおよびプログラム記録媒体に関する。
【背景技術】
【０００２】
近年、映像のストリーム配信のように、広帯域の情報を含むＩＰパケットを、リアルタイムに、かつ、安定して配信することを可能とするＩＰパケット配信システムに対する需要が急増している。つまり、ＩＰパケット配信システムにおいて、ＩＰパケットの配信に支障が発生した場合には、当該支障を排除する動作を迅速に実施し、正常なＩＰパケットの配信動作を継続的に実施することが強く望まれるようになってきている。
【０００３】
かかる背景から、例えば、特許文献１の特開２００５−２６９０２号公報「ネットワーク中継装置におけるネットワーク障害監視方法およびこれを適用した中継装置」のように、ＩＰパケットの経路制御を行うルータ等のネットワーク中継装置の間におけるＡＲＰ（Address  Resolution  Protocol）更新処理を利用して、相手側のネットワーク中継装置の正常性を確認し合い、相手側のネットワーク中継装置に障害が発生したことを検出した場合に、ＩＰパケットを迂回させるように制御する技術が提案されている。
【０００４】
また、特許文献２の特開２００６−１７４２９９号公報「データ配信方法、受信装置、コンピュータプログラムおよびこのコンピュータプログラムを記録した記録媒体」においては、複数の受信装置に対して同一のＩＰパケットを配信するマルチキャスト配信を行う場合に、各通信路におけるＩＰパケット消失率を基にして、各受信装置側において、各通信路で消失したＩＰパケットを冗長符号化方式を利用して修復するために必要とする冗長パケット数を算出して、それぞれの受信装置側で算出された冗長パケット数のうち最大の冗長パケット数を送信装置からマルチキャスト配信する技術を提案している。さらには、特許文献３の特開２００８−２２３９３号公報「ＩＰ放送受信システムおよびＩＰ放送受信端末装置」には、マルチキャスト配信を行う場合に、配信パケットの異常を検出した際に、同一パケットを配信している正常なチャンネルとジョイン（join）させることによって、正常な経路に迅速に切り替える技術を提案している。
【先行技術文献】
【特許文献】
【０００５】
【特許文献１】特開２００５−２６９０２号公報（第５−７頁）
【特許文献２】特開２００６−１７４２９９号公報（第６−９頁）
【特許文献３】特開２００８−２２３９３号公報（第７−１０頁）
【発明の概要】
【発明が解決しようとする課題】
【０００６】
しかしながら、前記特許文献１や特許文献２のような従来の技術は、いずれも、送信装置から通信ネットワークを経由して受信装置に達するまでの間の経路上におけるＩＰレイヤにおける監視結果を用いて、障害の有無を検出する仕組みであり、ＩＰレイヤ以外の異常例えばＩＰパケットの復号を行うデコーダの異常をも含めて検出することができる技術ではなく、ＩＰレイヤの異常を検出していない状態であっても、受信装置において配信されてくる情報を正常に画面表示したり利用したりすることができない場合が生じてしまうという問題がある。
【０００７】
また、前記特許文献３のようなマルチキャスト配信動作を行うＩＰパケット配信システムの場合には、例えば、障害が検出された際に、障害が発生したチャンネルと同一のＩＰパケットを配信しているチャンネルにジョイン（Join）させるような手法を用いて、迅速に、正常な経路に切り替えることも可能であったが、一つの受信機（デコーダ）に対してのみ配信するユニキャスト配信方式の場合には、迅速に切り替えることができないという問題もある。
【０００８】
（本発明の目的）
本発明は、かかる事情に鑑みてなされたものであり、ＩＰパケットをユニキャスト配信する場合であっても、受信したＩＰパケットを復号する受信機（デコーダ）の稼動状態の異常を検出した際に、迅速に、予備側の受信機（デコーダ）に切り替えてＩＰパケットの復号動作が継続的に実施可能なＩＰパケット配信システム、受信機切り替え方法、受信機切り替えプログラムおよびプログラム記録媒体を提供することにある。
【課題を解決するための手段】
【０００９】
前述の課題を解決するため、本発明によるＩＰパケット配信システムは、次のような特徴的な構成を採用している。
【００１０】
（１）コンテンツ情報をＩＰパケット化してネットワークを介して配信するＩＰパケット配信システムにおいて、配信されてくるＩＰパケットを受信して元のコンテンツ情報に復号して出力する受信機として現用側の受信機と予備側の受信機とを有する受信局を備え、さらに、前記受信局の前記現用側の受信機と前記予備側の受信機との稼動状態を監視して、動作の異常を検出した際に、前記現用側の受信機と前記予備側の受信機のうち、以降の前記ＩＰパケットを受信すべき受信機への切り替えを制御するとともに、以降の前記ＩＰパケットを受信すべき当該受信機を制御して、前記受信局へのＩＰパケットの経路制御を行うネットワーク側の中継装置であるレイヤ３スイッチに対して、アドレス解決のための情報として前記ＩＰパケットを受信すべき当該受信機に関するアドレス情報を少なくとも含むＡＲＰ（Ａｄｄｒｅｓｓ  Ｒｅｓｏｌｕｔｉｏｎ  Ｐｒｏｔｏｃｏｌ）通知情報を送信させる機能を少なくとも有する監視制御端末を備えているＩＰパケット配信システム。
【発明の効果】
【００１１】
本発明のＩＰパケット配信システム、受信機切り替え方法、受信機切り替えプログラムおよびプログラム記録媒体によれば、経路制御を行うルータ等のレイヤ３スイッチを介してユニキャスト配信されてくるＩＰパケットを復号するための現用側と予備側との受信機（デコーダ）を備えた受信局側に、該受信機（デコーダ）の稼動状態をあらかじめ定めた周期で監視・制御する監視制御端末を備え、現用側の受信機（デコーダ）の異常動作を検出した際に、直ちに、予備側の受信機（デコーダ）に切り替え、かつ、入力側に位置するルータ等のネットワーク中継装置すなわちレイヤ３スイッチを制御して、ＩＰパケットの入力経路を予備側の受信機（デコーダ）に切り替えるとともに、現用側と予備側との受信機（デコーダ）の出力側に備えたマトリクススイッチを制御して、予備側の受信機（デコーダ）からの復号情報を出力するように制御しているので、以下のような効果を奏することができる。
【００１２】
第１に、配信するＩＰパケットのＩＰレイヤレベルにおける異常のみならず、受信局に収納されている現用側の受信機（デコーダ）の動作が異常になった時には、監視制御端末の制御により、瞬時に、異常な動作に陥った受信機（デコーダ）を正常な予備側の受信機（デコーダ）に切り替えて、受信ＩＰパケットを元のコンテンツ情報例えば映像信号に正しく復号して、該映像信号に基づく映像をモニタに画面表示することができる。
【００１３】
第２に、受信したＩＰパケットを復号する受信機（デコーダ）を現用側の受信機（デコーダ）から予備側の受信機（デコーダ）に切り替える際に、予備側の受信機（デコーダ）に設定したＩＰアドレス（つまり現用側の受信機（デコーダ）に割り付けられているＩＰアドレス）と予備側の受信機（デコーダ）のＭＡＣアドレスとを、ＩＰパケットの経路制御を行うネットワーク中継装置すなわちレイヤ３スイッチに通知しているので、ユニキャスト配信方式の場合であっても、単純に、故障した現用側のデコーダ（受信機）と同じＩＰアドレスだけを予備側の受信機（デコーダ）に設定した場合においては、ＩＰパケットの経路制御を行うレイヤ３スイッチにおいて、予備側の受信機（デコーダ）への経路選択用のアドレス解決を行う必要があるために時間がかかってしまうという問題を解決することができる。
【００１４】
第３に、受信局に収納されている現用側のデコーダ、予備デコーダの稼動状況を常時監視して、使用すべきデコーダの現用側と予備側との切り替えを制御する監視制御端末を備えているので、現用側のデコーダ、予備デコーダのデコーダ同士で互いの状態監視を行う場合と比較して、迅速な切り替え制御を行うことが可能である。
【図面の簡単な説明】
【００１５】
【図１】本発明の第１の実施形態に係る映像ＩＰパケット配信システムの構成例を示すブロック構成図である。
【図２】図１の映像ＩＰパケット配信システムの動作の一例を説明するためのシーケンスチャートである。
【図３】本発明の第２の実施形態に係る映像ＩＰパケット配信システムの構成例を示すブロック構成図である。
【図４】図３の映像ＩＰパケット配信システムの動作の一例を説明するためのシーケンスチャートである。
【図５】本発明の第３の実施形態に係る映像ＩＰパケット配信システムの構成例を示すブロック構成図である。
【図６】図５の映像ＩＰパケット配信システムの動作の一例を説明するためのシーケンスチャートである。
【発明を実施するための形態】
【００１６】
以下、本発明によるＩＰパケット配信システム、受信機切り替え方法、受信機切り替えプログラムおよびプログラム記録媒体の好適な実施形態について、映像ＩＰパケットを配信する映像ＩＰパケット配信システムを例にとって、添付図を参照して説明する。なお、以下の説明においては、本発明によるＩＰパケット配信システムおよびＩＰパケットの復号を行う受信機（デコーダ）の切り替え方法について説明するが、かかる受信機切り替え方法をコンピュータにより実行可能な受信機切り替えプログラムとして実施するようにしても良いし、あるいは、受信機切り替えプログラムをコンピュータにより読み取り可能な記録媒体に記録するようにしても良いことは言うまでもない。また、以下の説明は、本発明に係るＩＰパケット配信システムの一例として、映像ＩＰパケット配信システムを例にとって、その実施形態の説明を行うが、本発明は、かかる映像ＩＰパケット配信システムのみに限るのもではなく、ＩＰパケットを用いて情報を配信する如何なるシステムであっても、全く同様に適用することができる。
【００１７】
（本発明の特徴）
本発明の実施形態の説明に先立って、本発明の特徴についてその概要をまず説明する。本発明は、ＩＰパケット配信システムにおいて、配信するＩＰパケットのＩＰレイヤレベルにおける異常のみならず、ＩＰパケットを復号する受信機（デコーダ）の動作が異常になったときに、予備側の受信機（デコーダ）へ迅速かつスムーズに切り替える仕組みを、ユニキャスト配信においても可能としていることを、特徴としている。
【００１８】
（第１の実施形態の構成）
まず、本発明の第１の実施形態に係る映像ＩＰパケット配信システムの構成例について、図１を用いて説明する。図１は、本発明の第１の実施形態に係る映像ＩＰパケット配信システムの構成例を示すブロック構成図である。
【００１９】
図１に示す映像ＩＰパケット配信システム１００は、コンテンツ配信サーバ１、受信局５、監視制御端末６、マトリクススイッチ７、モニタ８を少なくとも含んで構成されている。また、コンテンツ配信サーバ１には、コンテンツ情報例えば映像信号をＩＰパケット化するエンコーダ１１が、受信局５には、ＩＰパケットを元のコンテンツ情報例えば映像信号に復号して出力する受信機（デコーダ）としてデコーダ５１と予備デコーダ５Ｚとが収納されている。なお、ここでは、受信局５に収納している受信機のことをデコーダと表現している。そして、コンテンツ配信サーバ１と受信局５との間は、それぞれ、レイヤ３スイッチ（Ｌ３−ＳＷ）２とレイヤ３スイッチ（Ｌ３−ＳＷ）４とを経由して、インターネット等のネットワーク３を介して、相互に接続されている。
【００２０】
コンテンツ配信サーバ１に収納されているエンコーダ１１は、コンテンツ情報の映像信号を圧縮・非圧縮したか否かに限らず、該映像信号をＩＰパケット化して、受信局５へ向けて、送出する装置である。ここで、エンコーダ１１は、必要に応じて、各番組の映像素材をコンテンツ配信サーバ１から、ユニキャスト配信する。
【００２１】
コンテンツ配信サーバ１から送出されるＩＰパケットは、レイヤ３スイッチ２、レイヤ３スイッチ４とネットワーク３とを介して、受信局５で受信される。ネットワーク３は、公衆回線、専用回線のいずれであっても構わなく、ＩＰパケットを転送するためのＩＰプロトコルに準拠したネットワーク通信網のことである。
【００２２】
レイヤ３スイッチ２、レイヤ３スイッチ４は、いずれも、ネットワーク中継機器であり、ＩＰアドレスによる経路制御を行うものであり、受け取ったＩＰパケットを目的のＩＰアドレスに対応する出力ポートへ転送する機能を備えている。また、レイヤ３スイッチ２、レイヤ３スイッチ４は、レイヤ３プロトコルを処理する装置であり、ルータなどの装置もこの類に含まれている。
【００２３】
受信局５に収納されているデコーダ５１は、エンコーダ１１から受信したＩＰパケットをデパケタイズ化（デアセンブル化）した後、元のコンテンツ情報例えば映像信号として、マトリクススイッチ７へ出力する。デコーダ５１から出力された映像信号は、マトリクススイッチ７を介して、モニタ８へ入力され、モニタ８において、入力されてきた該映像信号による映像が画面表示される。
【００２４】
監視制御端末６は、パーソナルコンピュータ等の情報処理装置であり、受信局５側に設置されている監視用の端末である。監視制御端末６は、常に、デコーダ５１と予備デコーダ５Ｚとにアクセスすることによって、受信局５の稼動状況を監視することができ、そして、受信局５を制御する機能を備えている。また、監視制御端末６は、デコーダ５１、予備デコーダ５Ｚの出力を切り替えて、後段装置のモニタ８に入力するための切り替え手段であるマトリクススイッチ７を制御する機能も備えており、デコーダ５１と予備デコーダ５Ｚとのいずれかの出力先をモニタ８へ接続する制御を行う。
【００２５】
（第１の実施形態の動作の説明）
次に、図１に示す映像ＩＰパケット配信システム１００の動作の一例を、図２のシーケンスチャートを参照して詳細に説明する。図２は、図１の映像ＩＰパケット配信システム１００の動作の一例を説明するためのシーケンスチャートであり、図１のレイヤ３スイッチ（Ｌ３−ＳＷ）４、受信局５に収納されているデコーダ５１、予備デコーダ５Ｚ、監視制御端末６、マトリクススイッチ７の動作について示している。
【００２６】
図２のシーケンスチャートにおいては、コンテンツ配信サーバ１のエンコーダ１１から送出されたＩＰパケットが、ユニキャスト配信として、レイヤ３スイッチ（Ｌ３−ＳＷ）２、ネットワーク３、レイヤ３スイッチ（Ｌ３−ＳＷ）４を介して、受信局５のデコーダ５１で受信されている状態にある。また、監視制御端末６は、受信局５の監視制御を行うために、あらかじめ定めた周期で、常時、デコーダ５１と予備デコーダ５Ｚとに対して、アクセスを行っている（シーケンスＡ１、Ａ３）。
【００２７】
そして、監視制御端末６からのアクセスに応答するデコーダ５１と予備デコーダ５Ｚとは、監視制御端末６に対して、それぞれの稼働状況を返信し、監視制御端末６は、それぞれの稼働状況を受信することができる（シーケンスＡ２、Ａ４）。さらに、現用側のデコーダ５１は、あらかじめ定めた周期であるいはＩＰパケットの復号処理を行う都度、自発的に、監視制御端末６に対して、その稼働状況を送信することも可能である（シーケンスＡ５）。デコーダ５１、予備デコーダ５Ｚの稼働状況として監視制御端末６に送信される情報は、それぞれの装置アラーム／装置ステータスや、設定パラメータ情報などである。
【００２８】
監視制御端末６は、受信した稼動状況の解析結果として、故障などにより、現用側のデコーダ５１が、ＩＰパケットを映像信号に復号して、モニタ８に対して出力することが不能であると判断すると（シーケンスＡ６）、直ちに、予備デコーダ５Ｚに対して、故障したデコーダ５１と同じ設定パラメータを設定する（シーケンスＡ７）。この時、現用側のデコーダ５１に割り付けられていたＩＰアドレスなどのネットワークパラメータも予備デコーダ５Ｚへ設定している。
【００２９】
さらに、監視制御端末６は、マトリクススイッチ７を制御して、モニタ８への映像信号の入力を、動作が異常な現用側のデコーダ５１から予備デコーダ５Ｚからの出力に切り替える（シーケンスＡ８）。
【００３０】
しかる後、デコーダ５１の設定パラメータを引き継いだ予備デコーダ５Ｚは、監視制御端末６からＩＰパケット受信動作開始を指示する制御信号を受け取ると（シーケンスＡ９）、ＩＰパケットの経路制御を行うレイヤ３スイッチ４に対して、自予備デコーダ５ＺのＩＰアドレス（現用側のデコーダ５１に割り付けられていたＩＰアドレス）と自予備デコーダ５ＺのＭＡＣアドレスとを少なくとも含むＡＲＰ（Address  Resolution  Protocol）通知情報を送信する（シーケンスＡ１０）。
【００３１】
該ＡＲＰ通知情報を受け取ったレイヤ３スイッチ４は、内部に有しているＡＲＰテーブル上のデータの中で、デコーダ５１のＩＰアドレスに対応するＭＡＣアドレスと転送ポートとを予備デコーダ５ＺのＭＡＣアドレスと転送ポートとに書き替える（シーケンスＡ１１）。これにより、レイヤ３スイッチ４において、本来はデコーダ５１へ転送されるＩＰパケットが、予備デコーダ５Ｚのポートへ転送される状態に切り替えられる（シーケンスＡ１２）。
【００３２】
而して、受信局５内の現用側のデコーダ５１の動作が異常になった場合には、エンコーダ１１から送出されたＩＰパケットは、動作が異常になったデコーダ５１の代わりに、正常な動作が可能な予備デコーダ５Ｚにて受信される状態に迅速に切り替わって、映像信号に正しくデコードされて、予備デコーダ５Ｚ側に出力が切り替えられているマトリクススイッチ７を介して、対応するモニタ８に出力され、該映像信号による映像がモニタ８に継続して画面表示されることになる。
【００３３】
（第１の実施形態の効果の説明）
以上に詳細に説明したように、本第１の実施形態によれば、配信するＩＰパケットのＩＰレイヤレベルにおける異常のみならず、受信局５に収納されている現用側のデコーダ５１の動作が異常になった時には、監視制御端末６の制御により、瞬時に、異常な動作に陥ったデコーダ５１を正常な予備デコーダ５Ｚに切り替えて、受信ＩＰパケットを元の映像信号に正しく復号して、該映像信号に基づく映像をモニタ８に画面表示することができる。
【００３４】
また、受信したＩＰパケットを復号するデコーダを現用側のデコーダ５１から予備デコーダ５Ｚに切り替える際に、予備デコーダ５Ｚに設定したＩＰアドレス（つまり現用側のデコーダ５１に割り付けられているＩＰアドレス）と予備デコーダ５ＺのＭＡＣアドレスとを、ＩＰパケットの経路制御を行うネットワーク３側の中継装置すなわちレイヤ３スイッチ４に通知しているので、ユニキャスト配信方式の場合であっても、単純に、故障した現用側のデコーダ５１（現用側の受信機）と同じＩＰアドレスだけを予備デコーダ５Ｚ（予備側の受信機）に設定した場合においては、ＩＰパケットの経路制御を行うレイヤ３スイッチにおいて、予備デコーダ５Ｚ（予備側の受信機）への経路選択用のアドレス解決を行う必要があるために時間がかかってしまうという問題を解決することができる。
【００３５】
さらに、受信局５に収納されている現用側のデコーダ５１、予備デコーダ５Ｚの稼動状況を常時監視して、使用すべきデコーダの現用側と予備側との切り替えを制御する監視制御端末６を備えているので、現用側のデコーダ、予備デコーダのデコーダ同士で互いの状態監視を行う場合と比較して、迅速な切り替え制御を行うことが可能になる。
【００３６】
（第２の実施形態の構成）
次に、本発明の第２の実施形態に係る映像ＩＰパケット配信システムの構成例について、図３を用いて説明する。図３は、本発明の第２の実施形態に係る映像ＩＰパケット配信システムの構成例を示すブロック構成図である。図３に示す映像ＩＰパケット配信システム１００Ａは、図１に示したＩＰ配信システム１００とは異なり、コンテンツ配信サーバ１Ａから複数のコンテンツ情報例えば映像信号をそれぞれのＩＰパレットとして配信し、受信局５Ａ内にそれぞれに対応して収納されている複数台のデコーダ５１、…、デコーダ５Ｎにより、複数の映像信号に復号した後、それぞれの映像信号に基づく映像を、複数台のモニタ８１、…、モニタ８Ｎに画面表示する例を説明するものであり、受信局５Ａ内には、複数台のデコーダ５１、…、デコーダ５Ｎに共通の予備用として使用することが可能な予備デコーダ５Ｚを収納する（Ｎ＋１）予備方式の構成を採用している場合を示している。
【００３７】
つまり、図３に示す映像ＩＰパケット配信システム１００Ａは、コンテンツ配信サーバ１Ａ、受信局５Ａ、監視制御端末６Ａ、マトリクススイッチ７Ａ、モニタ群８Ａを少なくとも含んで構成されている。また、コンテンツ配信サーバ１Ａには、Ｎ個（Ｎ：正整数）のコンテンツ情報例えば映像信号それぞれをＩＰパケット化するＮ台のエンコーダ１１、…、エンコーダ１Ｎが、また、受信局５Ａには、それぞれのＩＰパケットを元のコンテンツ情報例えば映像信号に復号して出力する受信機（デコーダ）としてＮ台の現用側のデコーダ５１、…、デコーダ５Ｎと予備デコーダ５Ｚとが、また、モニタ群８Ａには、Ｎ台のモニタ８１、…、モニタ８Ｎが収納されている。なお、ここでは、受信局５Ａに収納している受信機のことをデコーダと表現している。そして、コンテンツ配信サーバ１Ａと受信局５Ａとの間は、それぞれ、レイヤ３スイッチ（Ｌ３−ＳＷ）２Ａとレイヤ３スイッチ（Ｌ３−ＳＷ）４Ａとを経由して、インターネット等のネットワーク３を介して、相互に接続されている。
【００３８】
コンテンツ配信サーバ１Ａに収納されているＮ台のエンコーダ１１、…、エンコーダ１Ｎは、いずれも、コンテンツ情報の映像信号を圧縮・非圧縮したか否かに限らず、それぞれの映像信号をＩＰパケット化して、受信局５Ａへ向けて、送出する装置である。ここで、エンコーダ１１、…、エンコーダ１Ｎは、必要に応じて、各番組の映像素材をコンテンツ配信サーバ１Ａから、ユニキャスト配信する。
【００３９】
コンテンツ配信サーバ１Ａから送出されるＩＰパケットは、レイヤ３スイッチ２Ａ、レイヤ３スイッチ４Ａとネットワーク３とを介して、受信局５Ａで受信される。ネットワーク３は、公衆回線、専用回線のいずれであっても構わなく、ＩＰパケットを転送するためのＩＰプロトコルに準拠したネットワーク通信網のことである。
【００４０】
レイヤ３スイッチ２Ａ、レイヤ３スイッチ４Ａは、いずれも、ネットワーク中継機器であり、ＩＰアドレスによる経路制御を行うものであり、受け取ったＩＰパケットを目的のＩＰアドレスに対応する出力ポートへ転送する機能を備えている。また、レイヤ３スイッチ２Ａ、レイヤ３スイッチ４Ａは、レイヤ３プロトコルを処理する装置であり、ルータなどの装置もこの類に含まれている。
【００４１】
受信局５Ａに収納されているＮ台の現用側のデコーダ５１、…、デコーダ５Ｎは、いずれも、対向するエンコーダ１１、…、エンコーダ１Ｎから受信したＩＰパケットをデパケタイズ化（デアセンブル化）した後、元のコンテンツ情報例えば映像信号として、マトリクススイッチ７Ａへ出力する。デコーダ５１、…、デコーダ５Ｎから出力されたそれぞれの映像信号は、マトリクススイッチ７Ａを介して、デコーダ５１、…、デコーダ５Ｎそれぞれに対向してモニタ群８Ａに収納されているＮ台のモニタ８１、…、モニタ８Ｎへ入力され、Ｎ台のモニタ８１、…、モニタ８Ｎそれぞれにおいて、入力されてきた該映像信号による映像が画面表示される。
【００４２】
また、受信局５Ａに収納されている予備デコーダ５Ｚは、Ｎ台の現用側のデコーダ５１、…、デコーダ５Ｎのいずれが故障した場合であっても、故障したデコーダに代わって、受信したＩＰパケットをデパケタイズ化（デアセンブル化）した後、映像信号として出力することが可能な、現用側の各デコーダに共通の予備装置であり、受信局５Ａに収納されているデコーダ群は（Ｎ＋１）予備構成とされている。
【００４３】
監視制御端末６Ａは、パーソナルコンピュータ等の情報処理装置であり、受信局５Ａ側に設置されている監視用の端末である。監視制御端末６Ａは、常に、Ｎ台の現用側のデコーダ５１、…、デコーダ５Ｎと予備デコーダ５Ｚとにアクセスすることによって、受信局５Ａの稼動状況を監視することができ、そして、受信局５Ａを制御する機能を備えている。また、監視制御端末６Ａは、デコーダ５１、…、デコーダ５Ｎ、予備デコーダ５Ｚの出力を切り替えて、後段装置のモニタ群８Ａに入力するための切り替え手段であるマトリクススイッチ７Ａを制御する機能も備えており、Ｎ台の現用側のデコーダ５１、…、デコーダ５Ｎそれぞれの出力先、または、デコーダ５１、…、デコーダ５Ｎのいずれかを予備デコーダ５Ｚに切り替えた際の予備デコーダ５Ｚの出力先を、モニタ群８Ａに収納されているＮ台のモニタ８１、…、モニタ８Ｎへ接続する制御を行う。
【００４４】
（第２の実施形態の動作の説明）
次に、図３に示す映像ＩＰパケット配信システム１００Ａの動作の一例を、図４のシーケンスチャートを参照して詳細に説明する。図４は、図３の映像ＩＰパケット配信システム１００Ａの動作の一例を説明するためのシーケンスチャートであり、図１のレイヤ３スイッチ（Ｌ３−ＳＷ）４Ａ、受信局５Ａに収納されているＮ台の現用側のデコーダ５１、…、デコーダ５Ｎのうちの任意のデコーダ５ｉ（１≦ｉ≦Ｎ）、予備デコーダ５Ｚ、監視制御端末６Ａ、マトリクススイッチ７Ａの動作について示している。
【００４５】
図４のシーケンスチャートにおいては、コンテンツ配信サーバ１Ａのエンコーダ１１、…、エンコーダ１Ｎそれぞれから送出されたＩＰパケットが、ユニキャスト配信として、レイヤ３スイッチ（Ｌ３−ＳＷ）２Ａ、ネットワーク３、レイヤ３スイッチ（Ｌ３−ＳＷ）４Ａを介して、受信局５Ａのデコーダ５ｉで受信されている状態にある。また、監視制御端末６Ａは、受信局５Ａの監視制御を行うために、あらかじめ定めた周期で、常時、あらかじめ定めた順番に、Ｎ台の現用側のデコーダ５ｉ（デコーダ５１、…、デコーダ５Ｎ）と予備デコーダ５Ｚとに対して、アクセスを行っている（シーケンスＢ１、Ｂ３）。
【００４６】
そして、監視制御端末６Ａからのアクセスに応答する現用側のデコーダ５ｉ（デコーダ５１、…、デコーダ５Ｎ）と予備デコーダ５Ｚとは、監視制御端末６Ａに対して、それぞれの稼働状況を返信し、監視制御端末６Ａは、あらかじめ定めた順番に、それぞれの稼働状況を受信することができる（シーケンスＢ２、Ｂ４）。さらに、現用側の５ｉ（デコーダ５１、…、デコーダ５Ｎ）は、あらかじめ定めた周期であるいはＩＰパケットの復号処理を行う都度、自発的に、監視制御端末６Ａに対して、その稼働状況を送信することも可能である（シーケンスＢ５）。デコーダ５ｉ（デコーダ５１、…、デコーダ５Ｎ）、予備デコーダ５Ｚの稼働状況として監視制御端末６Ａに送信される情報は、それぞれの装置アラーム／装置ステータスや、設定パラメータ情報などである。
【００４７】
監視制御端末６Ａは、受信した稼動状況の解析結果として、故障などにより、Ｎ台の現用側のデコーダ５１、…、デコーダ５Ｎのいずれか例えば現用側のデコーダ５ｉが、ＩＰパケットを映像信号に復号して、対応するモニタ８ｉに対して出力することが不能であると判断すると（シーケンスＢ６）、直ちに、予備デコーダ５Ｚに対して、故障したデコーダ５ｉと同じ設定パラメータを設定する（シーケンスＢ７）。この時、現用側のデコーダ５ｉに割り付けられていたＩＰアドレスなどのネットワークパラメータも予備デコーダ５Ｚへ設定している。
【００４８】
さらに、監視制御端末６Ａは、マトリクススイッチ７Ａを制御して、対応するモニタ８ｉへの映像信号の入力を、動作が異常な現用側のデコーダ５ｉから予備デコーダ５Ｚからの出力に切り替える（シーケンスＢ８）。
【００４９】
しかる後、デコーダ５ｉの設定パラメータを引き継いだ予備デコーダ５Ｚは、監視制御端末６ＡからＩＰパケット受信動作開始を指示する制御信号を受け取ると（シーケンスＢ９）、ＩＰパケットの経路制御を行うレイヤ３スイッチ４Ａに対して、自予備デコーダ５ＺのＩＰアドレス（現用側のデコーダ５ｉに割り付けられていたＩＰアドレス）と自予備デコーダ５ＺのＭＡＣアドレスとを少なくとも含むＡＲＰ（Address  Resolution  Protocol）通知情報を送信する（シーケンスＢ１０）。
【００５０】
該ＡＲＰ通知情報を受け取ったレイヤ３スイッチ４Ａは、内部に有しているＡＲＰテーブル上のデータの中で、デコーダ５ｉのＩＰアドレスに対応するＭＡＣアドレスと転送ポートとを予備デコーダ５ＺのＭＡＣアドレスと転送ポートとに書き替える（シーケンスＢ１１）。これにより、レイヤ３スイッチ４Ａにおいて、本来はデコーダ５ｉへ転送されるＩＰパケットが、予備デコーダ５Ｚのポートへ転送される状態に切り替えられる（シーケンスＢ１２）。
【００５１】
而して、受信局５Ａ内の現用側のデコーダ５ｉの動作が異常になった場合には、エンコーダ１ｉから送出されたＩＰパケットは、動作が異常になったデコーダ５ｉの代わりに、正常な動作が可能な予備デコーダ５Ｚにて受信される状態に迅速に切り替わって、映像信号に正しくデコードされて、予備デコーダ５Ｚ側に出力が切り替えられているマトリクススイッチ７Ａを介して、対応するモニタ８ｉに出力され、該映像信号による映像がモニタ８ｉに継続して画面表示されることになる。
【００５２】
（第２の実施形態の効果の説明）
本第２の実施形態によれば、以上に詳細に説明したように、複数個のコンテンツ情報例えば映像信号をエンコードした複数個のＩＰパケットを受信する受信局５Ａが、複数台の現用側のデコーダ５１、…、デコーダ５Ｎに関して、予備用として共通に利用することができる１台の予備デコーダ５Ｚを備えた（Ｎ＋１）予備冗長システムを構成している場合であっても、配信するＩＰパケットのＩＰレイヤレベルにおける異常のみならず、複数台の現用側のデコーダ５１、…、デコーダ５Ｎを収納している受信局５Ａにおいて、いずれかの現用側のデコーダ５ｉ（１≦ｉ≦Ｎ）の動作が異常になった時には、監視制御端末６Ａの制御により、瞬時に、異常な動作に陥ったデコーダ５ｉを正常な予備デコーダ５Ｚに切り替えて、受信ＩＰパケットを元のコンテンツ情報例えば映像信号に正しく復号して、該映像信号に基づく映像を対応するモニタ８ｉに画面表示することができる。
【００５３】
また、第１の実施形態の場合と同様に、受信したＩＰパケットを復号するデコーダを現用側のデコーダ５ｉ（１≦ｉ≦Ｎ）から予備デコーダ５Ｚに切り替える際に、予備デコーダ５Ｚに設定したＩＰアドレス（つまり現用側のデコーダ５ｉに割り付けられているＩＰアドレス）と予備デコーダ５ＺのＭＡＣアドレスとを、ＩＰパケットの経路制御を行うネットワーク３側の中継装置すなわちレイヤ３スイッチ４Ａに通知しているので、ユニキャスト配信方式の場合であっても、単純に、故障した現用側のデコーダ５ｉ（現用側の受信機）と同じＩＰアドレスだけを予備デコーダ５Ｚ（予備側の受信機）に設定した場合においては、ＩＰパケットの経路制御を行うレイヤ３スイッチにおいて、予備デコーダ５Ｚへの経路選択用のアドレス解決を行う必要があるために時間がかかってしまうという問題を解決することができる。
【００５４】
さらに、受信局５Ａに収納されている複数台の現用側のデコーダ５１、…、デコーダ５Ｎと予備デコーダ５Ｚとの稼動状況を順番に監視して、使用すべきデコーダの現用側と予備側との切り替えを制御する監視制御端末６Ａを備えているので、第１の実施形態の場合と同様、現用側のデコーダ、予備デコーダのデコーダ同士で互いの状態監視を行う場合と比較して、迅速な切り替え制御を行うことが可能になる。
【００５５】
（第３の実施形態の構成）
次に、本発明の第３の実施形態に係る映像ＩＰパケット配信システムの構成例について、図５を用いて説明する。図５は、本発明の第３の実施形態に係る映像ＩＰパケット配信システムの構成例を示すブロック構成図である。図５に示す映像ＩＰパケット配信システム１００Ｂは、図１に示したＩＰ配信システム１００と同様、コンテンツ配信サーバ１からコンテンツ情報例えば映像信号をＩＰパレットとして配信し、受信局５Ｂ内に収納されているデコーダ５１により、映像信号に復号した後、該映像信号に基づく映像をモニタ８に画面表示する。しかし、図５に示す映像ＩＰパケット配信システム１００Ｂは、図１に示したＩＰ配信システム１００とは異なり、受信局５Ｂの現用側のデコーダ５１が故障した場合に、予備側の予備デコーダ５Ｚから、ＩＰパケットの経路制御を行うレイヤ３スイッチ（Ｌ３−ＳＷ）４Ｂに対して、ＡＲＰ通知情報を送信する代わりに、レイヤ３スイッチ（Ｌ３−ＳＷ）４Ｂ内のルーティングテーブルの書き替えを指示するルーティング情報書き替え制御情報を、監視制御端末６Ｂから、経路制御を行うレイヤ３スイッチ（Ｌ３−ＳＷ）４Ｂに対して、直接送信する場合を示している。
【００５６】
つまり、図５に示す映像ＩＰパケット配信システム１００Ｂは、図１に示した映像ＩＰパケット配信システム１００の構成と略同様であり、コンテンツ配信サーバ１、受信局５Ｂ、監視制御端末６Ｂ、マトリクススイッチ７、モニタ８を少なくとも含んで構成されている。また、コンテンツ配信サーバ１には、コンテンツ情報例えば映像信号をＩＰパケット化するエンコーダ１１が、受信局５Ｂには、ＩＰパケットを元のコンテンツ情報例えば映像信号に復号して出力する受信機（デコーダ）として現用側のデコーダ５１と予備デコーダ５Ｚとが収納されている。なお、ここでは、受信局５Ｂに収納している受信機のことをデコーダと表現している。そして、コンテンツ配信サーバ１と受信局５Ｂとの間は、それぞれ、レイヤ３スイッチ（Ｌ３−ＳＷ）２Ｂとレイヤ３スイッチ（Ｌ３−ＳＷ）４Ｂとを経由して、インターネット等のネットワーク３を介して、相互に接続されている。
【００５７】
コンテンツ配信サーバ１に収納されているエンコーダ１１は、コンテンツ情報の映像信号を圧縮・非圧縮したか否かに限らず、該映像信号をＩＰパケット化して、受信局５Ｂへ向けて、送出する装置である。ここで、エンコーダ１１は、必要に応じて、各番組の映像素材をコンテンツ配信サーバ１から、ユニキャスト配信する。
【００５８】
コンテンツ配信サーバ１から送出されるＩＰパケットは、レイヤ３スイッチ２Ｂ、レイヤ３スイッチ４Ｂとネットワーク３とを介して、受信局５Ｂで受信される。ネットワーク３は、公衆回線、専用回線のいずれであっても構わなく、ＩＰパケットを転送するためのＩＰプロトコルに準拠したネットワーク通信網のことである。
【００５９】
レイヤ３スイッチ２Ｂ、レイヤ３スイッチ４Ｂは、いずれも、ネットワーク中継機器であり、ＩＰアドレスによる経路制御を行うものであり、受け取ったＩＰパケットを目的のＩＰアドレスに対応する出力ポートへ転送する機能を備えている。また、レイヤ３スイッチ２Ｂ、レイヤ３スイッチ４Ｂは、レイヤ３プロトコルを処理する装置であり、ルータなどの装置もこの類に含まれている。
【００６０】
受信局５Ｂに収納されているデコーダ５１は、エンコーダ１１から受信したＩＰパケットをデパケタイズ化（デアセンブル化）した後、元のコンテンツ情報例えば映像信号として、マトリクススイッチ７へ出力する。デコーダ５１から出力された映像信号は、マトリクススイッチ７を介して、モニタ８へ入力され、モニタ８において、入力されてきた該映像信号による映像が画面表示される。
【００６１】
監視制御端末６Ｂは、パーソナルコンピュータ等の情報処理装置であり、受信局５Ｂ側に設置されている監視用の端末である。監視制御端末６Ｂは、常に、デコーダ５１と予備デコーダ５Ｚとにアクセスすることによって、受信局５Ｂの稼動状況を監視することができ、そして、受信局５Ｂを制御する機能を備えている。また、監視制御端末６Ｂは、デコーダ５１、予備デコーダ５Ｚの出力を切り替えて、後段装置のモニタ８に入力するための切り替え手段であるマトリクススイッチ７を制御する機能も備えており、デコーダ５１と予備デコーダ５Ｚとのいずれかの出力先をモニタ８へ接続する制御を行う。さらに、監視制御端末６Ｂは、必要に応じて、ＩＰパケットの経路制御を行うレイヤ３スイッチ４Ｂに対して、レイヤ３スイッチ４Ｂ内のルーティングテーブルの書き替えを指示するルーティング情報書き替え制御情報を送信する機能を備えており、受信局５Ｂ内の現用側のデコーダ５１の故障を検出した際に、ＩＰパケットの転送先を現用側のデコーダ５１から予備デコーダ５Ｚに切り替えることを指示するルーティング情報書き替え制御情報をレイヤ３スイッチ４Ｂに直接送信して、レイヤ３スイッチ４Ｂ内のルーティングテーブルを書き替える制御を行う。
【００６２】
（第３の実施形態の動作の説明）
次に、図５に示す映像ＩＰパケット配信システム１００Ｂの動作の一例を、図６のシーケンスチャートを参照して詳細に説明する。図６は、図５の映像ＩＰパケット配信システム１００Ｂの動作の一例を説明するためのシーケンスチャートであり、図５のレイヤ３スイッチ（Ｌ３−ＳＷ）４Ｂ、受信局５Ｂに収納されているデコーダ５１、予備デコーダ５Ｚ、監視制御端末６Ｂ、マトリクススイッチ７の動作について示している。
【００６３】
図６のシーケンスチャートにおいては、第１の実施形態の場合と同様に、コンテンツ配信サーバ１のエンコーダ１１から送出されたＩＰパケットが、ユニキャスト配信として、レイヤ３スイッチ（Ｌ３−ＳＷ）２Ｂ、ネットワーク３、レイヤ３スイッチ（Ｌ３−ＳＷ）４Ｂを介して、受信局５Ｂのデコーダ５１で受信されている状態にある。また、監視制御端末６Ｂは、第１の実施形態の場合と同様に、受信局５Ｂの監視制御を行うために、あらかじめ定めた周期で、常時、デコーダ５１と予備デコーダ５Ｚとに対して、アクセスを行っている（シーケンスＣ１、Ｃ３）。
【００６４】
そして、監視制御端末６Ｂからのアクセスに応答する現用側のデコーダ５１と予備デコーダ５Ｚとは、監視制御端末６Ｂに対して、それぞれの稼働状況を返信し、監視制御端末６Ｂは、第１の実施形態の場合と同様に、それぞれの稼働状況を受信することができる（シーケンスＣ２、Ｃ４）。さらに、現用側の５１は、あらかじめ定めた周期であるいはＩＰパケットの復号処理を行う都度、自発的に、監視制御端末６Ｂに対して、その稼働状況を送信することも可能である（シーケンスＣ５）。デコーダ５１、予備デコーダ５Ｚの稼働状況として監視制御端末６Ｂに送信される情報は、それぞれの装置アラーム／装置ステータスや、設定パラメータ情報などである。
【００６５】
監視制御端末６Ｂは、受信した稼動状況の解析結果として、故障などにより、Ｎ台の現用側のデコーダ５１が、ＩＰパケットを映像信号に復号して、モニタ８に対して出力することが不能であると判断すると（シーケンスＣ６）、第１の実施形態の場合と同様に、直ちに、予備デコーダ５Ｚに対して、故障したデコーダ５１と同じ設定パラメータを設定する（シーケンスＣ７）。この時、現用側のデコーダ５１に割り付けられていたＩＰアドレスなどのネットワークパラメータも予備デコーダ５Ｚへ設定している。
【００６６】
さらに、監視制御端末６Ｂは、マトリクススイッチ７を制御して、モニタ８への映像信号の入力を、動作が異常な現用側のデコーダ５１から予備デコーダ５Ｚからの出力に切り替える（シーケンスＣ８）。
【００６７】
しかる後、デコーダ５１の設定パラメータを引き継いだ予備デコーダ５Ｚは、監視制御端末６ＢからＩＰパケット受信動作開始を指示する制御信号を受け取ると（シーケンスＣ９）、第１の実施形態の場合とは異なり、ＩＰパケットの経路制御を行うレイヤ３スイッチ４Ｂに対してＡＲＰ（Address  Resolution  Protocol）通知情報を送信する代わりに、レイヤ３スイッチ４ＢからのＩＰパケットの受信待ち状態に移行する（シーケンスＣ１０）。
【００６８】
一方、監視制御端末６Ｂは、レイヤ３スイッチ４Ｂに対して、当該レイヤ３スイッチ４Ｂ内に有しているルーティングテーブルを、現用側のデコーダ５１へのルーティング情報から予備デコーダ５Ｚへのルーティング情報に切り替えることを指示するルーティング情報書き替え制御情報を送信する（シーケンスＣ１１）。
【００６９】
該ルーティング情報書き替え制御情報を受け取ったレイヤ３スイッチ４Ｂは、内部に有しているルーティングテーブル上のデータの中で、デコーダ５１のＩＰアドレスに対応していた転送ポートを予備デコーダ５Ｚの転送ポートへ書き替える（シーケンスＣ１２）。これにより、レイヤ３スイッチ４Ｂにおいて、本来はデコーダ５１へ転送されるＩＰパケットが、予備デコーダ５Ｚのポートへ転送される状態に切り替えられる（シーケンスＣ１３）。
【００７０】
而して、受信局５Ｂ内の現用側のデコーダ５１の動作が異常になった場合には、エンコーダ１１から送出されたＩＰパケットは、動作が異常になったデコーダ５１の代わりに、正常な動作が可能な予備デコーダ５Ｚにて受信される状態に迅速に切り替わって、映像信号に正しくデコードされて、予備デコーダ５Ｚ側に出力が切り替えられているマトリクススイッチ７を介して、モニタ８に出力され、該映像信号による映像がモニタ８に継続して画面表示されることになる。
【００７１】
（第３の実施形態の効果の説明）
本第３の実施形態によれば、以上に詳細に説明したように、第１の実施形態の場合と同様の効果が得られるのみならず、さらに、ＩＰパケットの経路制御を行うレイヤ３スイッチ４Ｂのルーティング制御を、受信局５Ｂの予備デコーダ５Ｚが行うのではなく、監視制御端末６Ｂが直接行う仕組みを採用しているので、受信局５Ｂの予備デコーダ５Ｚは、レイヤ３スイッチ４Ｂに対してアドレス情報の変更通知を行うＡＲＰ通知機能を特別に実装させる必要がなくなり、受信局５Ｂの簡素化を図ることができる。
【００７２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記監視制御端末は、前記受信局の前記現用側の受信機と前記予備側の受信機との稼動状態を監視して、動作の異常を検出した際に、以降の前記ＩＰパケットを受信すべき当該受信機を制御して、前記レイヤ３スイッチに対して、前記ＡＲＰ通知情報を送信させる代わりに、前記レイヤ３スイッチ内に有するルーティングテーブルの書き替えを指示するルーティング情報書き替え制御情報を、前記レイヤ３スイッチに対して、当該監視制御端末から直接送信する上記（１）のＩＰパケット配信システム。
（３）前記受信局は、前記現用側の受信機として、配信されてくる複数個のＩＰパケットそれぞれを受信して、それぞれの元のコンテンツ情報に復号して出力する複数台の現用側の受信機を備え、前記予備側の受信機は、複数台の前記現用側の受信機それぞれに関して、予備用として共通に利用することができる上記（１）または（２）のＩＰパケット配信システム。
（４）前記受信局の前記現用側の受信機と前記予備側の受信機との出力を切り替えて、後段の装置に入力するための切り替え手段をさらに備え、前記監視制御端末は、前記受信局の前記現用側の受信機と前記予備側の受信機との稼動状態を監視して、動作の異常を検出した際に、前記切り替え手段を制御して、以降の前記ＩＰパケットを受信すべき前記受信機からの出力を、後段の前記装置に入力させるように制御する上記（１）ないし（３）のいずれかのＩＰパケット配信システム。
（５）コンテンツ情報をＩＰパケット化してネットワークを介して配信するＩＰパケット配信システムにおいて、配信されてくるＩＰパケットを受信して元のコンテンツ情報に復号して出力する受信機を切り替える受信機切り替え方法であって、前記受信機として現用側の受信機と予備側の受信機とを備え、さらに、前記現用側の受信機と前記予備側の受信機との稼動状態を監視して制御する監視制御端末を備え、前記監視制御端末が、前記受信機の動作の異常を検出した際に、前記現用側の受信機と前記予備側の受信機のうち、以降の前記ＩＰパケットを受信すべき受信機への切り替えを制御するとともに、前記ＩＰパケットを受信すべき当該受信機を制御して、前記受信局へのＩＰパケットの経路制御を行うネットワーク側の中継装置であるレイヤ３スイッチに対して、アドレス解決のための情報として前記ＩＰパケットを受信すべき当該受信機に関するアドレス情報を少なくとも含むＡＲＰ（Ａｄｄｒｅｓｓ  Ｒｅｓｏｌｕｔｉｏｎ  Ｐｒｏｔｏｃｏｌ）通知情報を送信させる受信機切り替え方法。
（６）前記監視制御端末は、前記受信局の前記現用側の受信機と前記予備側の受信機との稼動状態を監視して、動作の異常を検出した際に、以降の前記ＩＰパケットを受信すべき当該受信機を制御して、前記レイヤ３スイッチに対して、前記ＡＲＰ通知情報を送信させる代わりに、前記レイヤ３スイッチ内に有するルーティングテーブルの書き替えを指示するルーティング情報書き替え制御情報を、前記レイヤ３スイッチに対して、当該監視制御端末から直接送信する上記（５）の受信機切り替え方法。
（７）前記現用側の受信機として、配信されてくる複数個のＩＰパケットそれぞれを受信して、それぞれの元のコンテンツ情報に復号して出力する複数台の現用側の受信機を備え、前記予備側の受信機は、複数台の前記現用側の受信機それぞれに関して、予備用として共通に利用することができる上記（５）または（６）の受信機切り替え方法。
（８）前記現用側の受信機と前記予備側の受信機との出力を切り替えて、後段の装置に入力するための切り替え手段をさらに備え、前記監視制御端末は、前記受信局の前記現用側の受信機と前記予備側の受信機との稼動状態を監視して、動作の異常を検出した際に、前記切り替え手段を制御して、以降の前記ＩＰパケットを受信すべき前記受信機からの出力を、後段の前記装置に入力させるように制御する上記（５）ないし（７）のいずれかに記載の受信機切り替え方法。
（９）上記（５）ないし（８）のいずれかの受信機切り替え方法を、コンピュータによって実行可能なプログラムとして実施している受信機切り替えプログラム。
（１０）上記（９）の受信機切り替えプログラムを、コンピュータによって読み取り可能な記録媒体に記録しているプログラム記録媒体。
【符号の説明】
【００７３】
１        コンテンツ配信サーバ
１Ａ      コンテンツ配信サーバ
２        レイヤ３スイッチ（Ｌ３−ＳＷ）
２Ａ      レイヤ３スイッチ（Ｌ３−ＳＷ）
２Ｂ      レイヤ３スイッチ（Ｌ３−ＳＷ）
３        ネットワーク
４        レイヤ３スイッチ（Ｌ３−ＳＷ）
４Ａ      レイヤ３スイッチ（Ｌ３−ＳＷ）
４Ｂ      レイヤ３スイッチ（Ｌ３−ＳＷ）
５        受信局
５Ａ      受信局
５Ｂ      受信局
６        監視制御端末
６Ａ      監視制御端末
６Ｂ      監視制御端末
７        マトリクススイッチ
７Ａ      マトリクススイッチ
８        モニタ
８Ａ      モニタ群
１１      エンコーダ
１Ｎ      エンコーダ
５１      デコーダ
５Ｎ      デコーダ
５Ｚ      予備デコーダ
８１      モニタ
８Ｎ      モニタ
１００    映像ＩＰパケット配信システム
１００Ａ  映像ＩＰパケット配信システム
１００Ｂ  映像ＩＰパケット配信システム
【図１】
0005609163.tif 000002
【図２】
0005609163.tif 000003
【図３】
0005609163.tif 000004
【図４】
0005609163.tif 000005
【図５】
0005609163.tif 000006
【図６】
0005609163.tif 000007